(57)【特許請求の範囲】
【請求項１】
一対のコイル絶縁ユニットと一組のＵ字型分割コアとを備え、
前記コイル絶縁ユニットは、ケース本体と、該ケース本体内に充填される絶縁用樹脂で保持される二次コイルと、前記ケース本体の外部に取着され前記二次コイルが連結される二次端子と、一次導体を挟持するための挟着用金具とを備え、
各コイル絶縁ユニットの上面及び底面に開口するコア挿入穴を形成し、
該コア挿入穴に対して上面側及び底面側からＵ字型分割コアを挿入した構成とし、少なくとも一方のコイル絶縁ユニットにおける前記挟着用金具は、前後方向へのスライド調節手段を備えたことを特徴とする分割型変流器。
【請求項２】
コイル絶縁ユニットは、対となるコイル絶縁ユニットと対向した状態で一次導体を通す空間を形成するための凹部と、前記対となるコイル絶縁ユニットに対する当接面を備えたことを特徴とする請求項１記載の分割型変流器。
【請求項３】
ケーブル通過空間を形成するための切欠部を備えたアダプタを、挟着用金具における一次導体当接部に設け、対向する前記アダプタ相互が当接した状態で、切欠部にケーブル通過空間が形成されることを特徴とする請求項１記載の分割型変流器。
【請求項４】
ケース本体と、該ケース本体内に充填される絶縁用樹脂で保持される二次コイルと、前記ケース本体の外部に取着され前記二次コイルが連結される二次端子と、一次導体を挟持するための挟着用金具とを備え、
各コイル絶縁ユニットの上面及び底面に開口し、Ｕ字型分割コアを挿入するためのコア挿入穴を形成し、
前記挟着用金具は、前後方向へのスライド調節手段を備えたことを特徴とするコイル絶縁ユニット。
【請求項５】
対となるコイル絶縁ユニットと対向した状態で一次導体を通す空間を形成するための凹部と、前記対となるコイル絶縁ユニットに対する当接面を備えたことを特徴とする請求項４記載のコイル絶縁ユニット。
【請求項６】
ケーブル通過空間を形成するための切欠部を備えたアダプタを、挟着用金具における一次導体当接部に設け、対向する前記アダプタ相互が当接した状態で、切欠部にケーブル通過空間が形成されることを特徴とする請求項４記載のコイル絶縁ユニット。
【発明の詳細な説明】
【技術分野】
【０００１】
本発明は、特にＵ字型の分割コアを有する分割型変流器と、該分割型変流器の主要な構成部品となるコイル絶縁ユニットに関するものである。
【背景技術】
【０００２】
従来、分割型コアで閉磁路を形成する変流器として、例えば、磁性材からなるＵＩ型又はＵＵ型コアでロ字型閉磁路を形成し、該磁路に二次コイルを巻装した変流器であって、前記ロ字型閉磁路は、二次コイルが巻装されている磁脚辺の断面積Ａと巻装されていない磁脚辺との間に所定範囲の比率の関係を有することを特徴とする分割型変流器が公知である（例えば、特許文献１参照。）。
【０００３】
また、他の分割型変流器として、例えば、比透磁率の高い磁性材料薄板の条を積層成形して熱処理し、樹脂により積層間を固着し、切断し、切断面を研磨してなるＵ型、Ｉ型磁心を用意し、Ｉ型磁心に検出巻線を施し、Ｉ型磁心、Ｕ型磁心は夫々凸部と凹部を設けた側面ガイド板と上下面ガイド板を持つ分割した形状の一つの樹脂製収納ケースに収納し、Ｕ型磁心の背面にばねを取付けてＩ型磁心方向に磁心つき合わせ面を押し、一方の磁心を収納した樹脂製収納ケース嵌合部の側面ガイド板は、他方の磁心を収納した樹脂製収納ケースの上下面ガイド板を切り欠く嵌合溝と、夫々の該ケース側面ガイド板と上下面ガイド板に設けた凸部と凹部とに挿入し嵌合する構造としたことを特徴とする分割型変流器（例えば、特許文献２参照。）が公知である。
【先行技術文献】
【特許文献】
【０００４】
【特許文献１】実開昭５１−５９２６号公報
【特許文献２】実開平２−３１１１８号公報
【発明の概要】
【発明が解決しようとする課題】
【０００５】
上記特許文献１は、ＵＩ型又はＵＵ型コアの分割されたフェライトコアを用いてロ字型閉磁路を構成することにより、巻線作業は別の工程で完全に自動化され、巻線された二次コイルのコアへの装着が簡単に行えるので製造コストが大幅に低減される点を開示する。
【０００６】
該特許文献１に係る考案は、その第５頁及び第５図に示すように、磁性材料にて作られたケース１４を２個用いてロ字型閉磁路及びコイルをケース内に収め、シールド効果を計るものとしている。このため、上記特許文献１は、ＵＩ型又はＵＵ型の分割コアによるロ字型閉磁路を構成するに際して、製造コストを低減させるメリットを有するものの、最終的には、所定形状のケース内に収納される構成となる。
【０００７】
従って、特許文献１の変流器を設備に導入するためには、その設備の一次導体（ブスバー等）の形状や寸法に応じたものとする必要がある。例えば、一次導体が大きい場合には、変流器のコア（鉄心）も大きくしなければならない。
このため、特許文献１の変流器については、ケース内に収められる構造であることから、設置現場で要求される一次導体等の大きさや形状に応じて、異なる大きさや形状の複数の変流器が必要となるため、非常に非効率的であった。
【０００８】
次に、上記特許文献２は、その第２図及び第３図にも開示されるように、一次導体の外側から分離状態の分割コアを連結することが可能なものであり、この点では特許文献１と比べ優れている。
【０００９】
しかしながら、検出巻線（二次コイル）が施されるＩ型磁心の幅が常に一定であることから、Ｕ型磁心の大きさを変更できたとしても、前記Ｉ型磁心の幅を超える大きさの一次導体に使用することができないものであった。このため、一次導体の大きさや形状に応じて、異なる大きさの変流器を準備することが必要となり、不便であった。
【００１０】
更に、新規な設備の導入に際しては、定格電流値の仕様は、早期に決定されないことがあるため、このような場合、上記特許文献１及び２に開示される変流器によれば、予め定格電流値に応じて導入することができないため、最終的な工期が延びることにつながり、問題であった。
【００１１】
本発明は、以上の事情に鑑みてなされたものであり、分割型変流器について、異なる大きさや形状について複数種類の変流器を準備する必要がなく、設置場所に応じて導入が容易な分割型変流器の提供を、発明が解決しようとする課題とするものである。
【課題を解決するための手段】
【００１２】
本発明は、一対のコイル絶縁ユニットと一組のＵ字型分割コアとを備え、前記コイル絶縁ユニットは、ケース本体と、該ケース本体内に充填される絶縁用樹脂で保持される二次コイルと、前記ケース本体の外部に取着され前記二次コイルが連結される二次端子と、一次導体を挟持するための挟着用金具とを備え、各コイル絶縁ユニットの上面及び底面に開口するコア挿入穴を形成し、該コア挿入穴に対して上面側及び底面側からＵ字型分割コアを挿入した構成とし、少なくとも一方のコイル絶縁ユニットにおける前記挟着用金具は、前後方向へのスライド調節手段を備えたことを特徴とする分割型変流器を、課題を解決するための手段とする。
【００１３】
また、本発明は、上記主発明において、コイル絶縁ユニットは、対となるコイル絶縁ユニットと対向した状態で一次導体を通す空間を形成するための凹部と、前記対となるコイル絶縁ユニットに対する当接面を備えたことを特徴とする分割型変流器を、課題を解決するための手段とする。
【００１４】
また、本発明は、上記主発明において、ケーブル通過空間を形成するための切欠部を備えたアダプタを、挟着用金具における一次導体当接部に設け、対向する前記アダプタ相互が当接した状態で、切欠部にケーブル通過空間が形成される分割型変流器を、課題を解決するための手段とする。
【００１５】
また、本発明は、ケース本体と、該ケース本体内に充填される絶縁用樹脂で保持される二次コイルと、前記ケース本体の外部に取着され前記二次コイルが連結される二次端子と、一次導体を挟持するための挟着用金具とを備え、各コイル絶縁ユニットの上面及び底面に開口し、Ｕ字型分割コアを挿入するためのコア挿入穴を形成し、前記挟着用金具は、前後方向へスライド調節可能としたことを特徴とするコイル絶縁ユニットを、課題を解決するための手段とする。
【発明の効果】
【００１６】
請求項１に係る発明によれば、一対のコイル絶縁ユニットと一組のＵ字型分割コアとを備え、前記コイル絶縁ユニットは、ケース本体と、該ケース本体内に充填される絶縁用樹脂で保持される二次コイルと、前記ケース本体の外部に取着され前記二次コイルが連結される二次端子と、一次導体を挟持するための挟着用金具とを備え、各コイル絶縁ユニットの上面及び底面に開口するコア挿入穴を形成し、該コア挿入穴に対して上面側及び底面側からＵ字型分割コアを挿入した構成とし、少なくとも一方のコイル絶縁ユニットにおける前記挟着用金具は、前後方向へのスライド調節を可能としたことから、分割型変流器において、取付ける一組の分割コアの幅及び長さを自由に変更することができ、且つ、挟着用金具は、前後方向へスライド調節可能とすることで、取付ける分割コアのサイズにかかわらず、一次導体に常に確実に固着することができる。
【００１７】
そして、請求項１に係る発明によれば、上記構成によって、コイル絶縁ユニット、分割コアを、夫々個別の完成品として管理することにより、異なる大きさや形状について複数の変流器を準備する必要がなく、設置場所への導入を非常に容易とすることができる。また、特に複数基直列若しくは並列で配列接続させることにより、変成器として適用する場合には、種々の変流器の定格電流値に対応させることができることにより、非常に優れた汎用性を発揮することができ、定格電流値の仕様の決定を待たずに導入できる。
【００１８】
また、各部品別に供給することができるため、製造時の組立作業工程を設ける必要がなくなり、製造コストを低減することができる利点を有する。
【００１９】
そして、各部品について消耗頻度、交換頻度等に応じた量の在庫量を保持することで、完成品を在庫するよりも維持費を低減できるため、最終的な製品を低廉に提供することができる。
【００２０】
また、請求項２に係る発明によれば、上記請求項１に係る発明の構成を備えた上で、コイル絶縁ユニットは、対となるコイル絶縁ユニットと対向した状態で一次導体を通す空間を形成するための凹部と、前記対となるコイル絶縁ユニットに対する当接面を備えたことによって、対となるコイル絶縁ユニットと対向した状態で、分割コアの両端間の距離とコア挿入穴間の距離とを常に一致する構成としておくことで、分割コアをコア挿入穴へ挿入することが非常に容易とすることができる。
【００２１】
また、請求項３に係る発明によれば、上記請求項１に係る発明の構成を備えた上で、一次導体としてケーブルを用いる場合であっても、コイル絶縁ユニット、分割コアを、夫々個別の完成品として管理することにより、異なる大きさや形状について複数種類の変流器を準備する必要がなく、設置場所への導入を非常に容易とすることができ、また、各部品別に供給することができるため、製造時の組立作業工程を設ける必要がなく、製造コストを低減することができる。
【００２２】
また、請求項４に係る発明によれば、ケース本体と、該ケース本体内に充填される絶縁用樹脂で保持される二次コイルと、前記ケース本体の外部に取着され前記二次コイルが連結される二次端子と、一次導体を挟持するための挟着用金具とを備え、各コイル絶縁ユニットの上面及び底面に開口し、Ｕ字型分割コアを挿入するためのコア挿入穴を形成し、前記挟着用金具は、前後方向へスライド調節可能としたことを特徴とするコイル絶縁ユニットとしたことで、当該コイル絶縁ユニットを対向させ、一組のＵ字型分割コアをコア挿入穴に挿入することで、請求項１に係る分割型変流器として使用することができ、上記した請求項１にかかる分割型変流器と同等の効果を得ることができる。即ち、取付ける一組の分割コアの幅及び長さを自由に変更することができ、且つ、挟着用金具は、前後方向へスライド調節可能とすることで、取付ける分割コアのサイズにかかわらず、一次導体に常に確実に固着することができ、また、異なる大きさや形状について複数種類の変流器を準備する必要がなく、設置場所への導入を非常に容易とすることができる。更に、各部品について消耗頻度、交換頻度等に応じた量の在庫量を保持することで、完成品を在庫するよりも維持費を低減できるため、最終的な製品を低廉に提供することができる。
【００２３】
また請求項５に係るコイル絶縁ユニットによれば、対となるコイル絶縁ユニットと対向した状態で一次導体を通す空間を形成するための凹部と、前記対となるコイル絶縁ユニットに対する当接面を備えたことによって、当該コイル絶縁ユニットを対向させ、一組のＵ字型分割コアをコア挿入穴に挿入することで、請求項２に係る分割型変流器として使用することができ、上記した請求項２に係る分割型変流器と同等の効果を得ることができる。即ち、請求項１に係る分割型変流器の効果を得る上に、分割コアの両端間の距離とコア挿入穴間の距離とを常に一致する構成としておくことで、当該分割コアの両端を二つのコア挿入穴に挿入する作業を容易とすることができる。
【００２４】
更に、請求項６に係るコイル絶縁ユニットによれば、ケーブル通過空間を形成するための切欠部を備えたアダプタを、挟着用金具における一次導体当接部に設け、対向する前記アダプタ相互が当接した状態で、切欠部にケーブル通過空間が形成される構成としたから、当該コイル絶縁ユニットを対向させ、一組のＵ字型分割コアをコア挿入穴に挿入することで、請求項３に係る分割型変流器として使用することができ、上記した請求項３に係る分割型変流器と同等の効果を得ることができる。即ち、一次導体としてケーブルを用いる場合であっても、コイル絶縁ユニット、分割コアを、夫々個別の完成品として管理することにより、異なる大きさや形状について複数種類の変流器を準備する必要がなく、設置場所への導入を非常に容易とすることができ、また、各部品別に供給することができるため、製造時の組立作業工程を設ける必要がなく、製造コストを低減することができる。
【図面の簡単な説明】
【００２５】
【図１】本発明の実施例１に係る分割型変流器を一次導体（ブスバー）に取付けた状態を示す斜視図である。
【図２】本発明の実施例１に係る分割型変流器におけるコイル絶縁ユニットのケース本体につき、ケース本体基部と二次コイルの組立前状態を示す斜視図である。
【図３】本発明の実施例1に係る分割型変流器におけるコイル絶縁ユニットのケース本体につき、二次コイルを取付けたケース本体基部と、ケース本体主部の組立前状態を示す斜視図である。
【図４】本発明の実施例１に係る分割型変流器におけるコイル絶縁ユニットのケース本体の組立前の状態であって絶縁用樹脂を充填した状態を示す、（ａ）平面、正面、左側面を示す斜視図、（ｂ）平面、正面、左側面を示す斜視図である。
【図５】本発明の実施例１に係る分割型変流器におけるコイル絶縁ユニットの、ケース本体と挟着用金具との組立前の状態を示す斜視図である。
【図６】本発明の実施例１に係る分割型変流器におけるコイル絶縁ユニットを示す斜視図である。
【図７】本発明の実施例１に係る分割型変流器におけるコイル絶縁ユニットを、一次導体（ブスバー）を介して対向させた状態を示す斜視図である。
【図８】本発明の実施例１に係る分割型変流器におけるコイル絶縁ユニットにより一次導体（ブスバー）を挟持し、固定用ボルトを取付ける前の状態を示す斜視図である。
【図９】本発明の実施例１に係る分割型変流器におけるコイル絶縁ユニットにより一次導体（ブスバー）を挟持し、固定用ボルトを取付けた状態を示す斜視図である。
【図１０】本発明の実施例１に係る分割型変流器における、一次導体（ブスバー）を挟持したコイル絶縁ユニットに一組のＵ字型分割コアを取付ける状態を示す斜視図である。
【図１１】本発明の実施例１に係る分割型変流器における、一次導体（ブスバー）を挟持したコイル絶縁ユニットに一組のＵ字型分割コアを取付けた状態を示す斜視図である。
【図１２】本発明の実施例１に係る分割型変流器における、突出部端面１０１相互を当接させずに、分割コア２に応じた所定間隔離した状態で、一次導体（ブスバー）を挟持したコイル絶縁ユニットに一組のＵ字型分割コアを取付けた状態を示す斜視図である。
【図１３】本発明の実施例１に係る分割型変流器を一次導体（ブスバー）に取付けた状態を示す拡大平面図である。
【図１４】本発明の実施例２に係る分割型変流器に使用するアダプタを示す（ａ）平面図、（ｂ）左側面図、（ｃ）正面図、（ｄ）右側面図、（ｅ）挟着用金具におけるアダプタ取付穴にアダプタ６を取付けた状態を示す一部断面図、（ｆ）アダプタ取付穴に取付けたアダプタを対向当接させてケーブル通過空間を形成した状態を示す一部断面図である。
【図１５】本発明の実施例２に係る分割型変流器における、一次導体（ケーブル）を挟持したコイル絶縁ユニットに一組のＵ字型分割コアを取付けた状態を示す斜視図である。
【図１６】本発明の他の実施例に係る分割型変流器における全ての挟着用金具における取付穴に代えて小判孔（長孔）を用い、一次導体（ブスバー）を挟持したコイル絶縁ユニットに一組のＵ字型分割コアを取付け、相互の突出部端面を当接した状態を示す斜視図である。
【図１７】本発明の他の実施例に係る分割型変流器における、全ての挟着用金具における取付穴に代えて小判孔（長孔）を用い、一次導体（ブスバー）を挟持したコイル絶縁ユニットに一組のＵ字型分割コアを取付け、相互の突出部端面を当接させずに、分割コア２に応じた所定間隔離した状態を示す斜視図である。
【発明を実施するための形態】
【００２６】
本発明は、一対のコイル絶縁ユニットと一組のＵ字型分割コアとを備え、前記コイル絶縁ユニットは、ケース本体と、該ケース本体内に充填される絶縁用樹脂で絶縁して保持される二次コイルと、前記ケース本体の外部に取着され前記二次コイルが連結される二次端子と、一次導体を挟持するための挟着用金具とを備え、各コイル絶縁ユニットの上面及び底面に開口するコア挿入穴を形成し、該コア挿入穴に対して上面側及び底面側からＵ字型分割コアを挿入した構成とし、前記挟着用金具は、前後方向へスライド調節可能としたことを特徴とする挿入穴に対して上面側及び底面側からＵ字型分割コアを挿入した構成を備え、少なくとも一方のコイル絶縁ユニットにおける前記挟着用金具は、前後方向へのスライド調節手段を備えた分割型変流器、及び、該分割型変流器を構成するコイル絶縁ユニットの提供を実現した。
【実施例１】
【００２７】
本実施例１に係る分割型変流器Ｔは、図１に示すように、主として、対向する一対のコイル絶縁ユニット１と、一組のＵ字型分割コア２を備えている。そして、一次導体３（ブスバー３ａ）に取付られ、締縛用バンド５で締縛固定される。尚、図１及び図５等に示すコイル絶縁ユニット１は、分割型変流器Ｔにおける構成部品であるとともに、それ自体が単体のコイル絶縁ユニット１として完成品となるものである。
【００２８】
前記コイル絶縁ユニット１は、図１、図４（ｂ）、図５及び図６に示すように、ケース本体１０と、該ケース本体１０内に収納される二次コイル４と、該二次コイル４を絶縁固定する絶縁用樹脂７を備え、前記ケース本体１０の外部に取着され前記二次コイル４が連結される二次端子１１と、一次導体３を挟持するための挟着用金具１２とを備えている。
【００２９】
前記コイル絶縁ユニット１を構成するケース本体１０は、図２から図４に示すように、ケース本体蓋部１０２、ケース本体主部１０３、及びケース本体基部１０４からなる。該ケース本体１０は、外形が概ね直方体形状であり、上面１０ｂ（即ち、ケース本体蓋部１０２の上面）及び底面１０ｅ（即ち、ケース本体主部１０３の底面）に開口連通する矩形のコア挿入穴１５を有する。
上記ケース本体１０を構成するケース本体基部１０４は基板１０４ａの内底面から角筒状のコア挿入穴形成部１４を立設した構成である。コア挿入穴形成部１４は、４つの内部構成側壁１４０によって形成される。また、コア挿入穴形成部１４の先端縁には、鍔部１４１が形成される。
上記ケース本体１０を構成するケース本体主部１０３は、ケース本体１０の対向面１０ａ、左側面１０ｃ、右側面１０ｄ、背面１０ｅを構成する。
上記ケース本体１０を構成するケース本体蓋部１０２は、内面中央にコア挿入穴形成用貫通穴１０２ｂを備えその内側縁部に鍔部当接部１０２ａを設けている。
【００３０】
図５及び図６に示すように、対となるコイル絶縁ユニット１と対向する面（以下、対向面１０ａという。）の上端（即ち、ケース本体蓋部１０２における対向面１０ａ）及び下端（即ち、ケース本体基部１０４における対向面１０ａ）の位置から水平に、対向する方向（以下、本発明において「前方」という。）へ突出部１００を形成してある。突出部１００の先端は上面１０ｂに対して垂直で平滑な突出部端面１０１として形成してある。
【００３１】
図２から図４に示すように、ケース本体１０におけるケース本体基部１０４はその内面から角筒状のコア挿入穴形成部１４を立設した構成である。
【００３２】
図２から図４に示すように、ケース本体蓋部１０２、ケース本体主部１０３及びケース本体基部１０４が組み合わされることによって、ケース本体蓋部１０２からケース本体基部１０４までをコア挿通穴１５が貫通した構成となる（図５及び図６参照。）。
【００３３】
また、ケース本体１０の内部には、図２から図４に示すように、コア挿入穴形成部１４を囲繞して、二次コイル４が配置されている。二次コイル４を構成する線材４０の各先端には雌螺子を有する埋金４１を備えている。また、図４に示すように、内部空間１３に前記絶縁用樹脂７が充填される。本実施例１における絶縁用樹脂７としては、熱硬化性絶縁樹脂であるエポキシ樹脂を用いている。
【００３４】
前記二次端子１１は、ケース本体１０の上面１０ｂに一体成型される端子設置部１０４ａに露呈する前記雌螺子を有する埋金４１に対して、螺着される。
【００３５】
ケース本体主部１０３の左右側面１０ｃ、１０ｄには、夫々上下二箇所に雌螺子を備えた埋金を設けてある。当該埋金は固定用螺子１６（雌螺子）として設けられるものであり、挟着用金具１２の取着手段となる。
【００３６】
図５及び図６に示すように、ケース本体１０の対向面１０ａの両側に連続する左側面１０ｃ及び右側面１０ｄには、前記挟着用金具１２が取付けられている。
挟着用金具１２は、ケース本体１０の前記左側面１０ｃまたは右側面１０ｄにおける固定用螺子１６と当接する板状の取付部１２０と、該取付部１２０の前端側に屈曲形成される板状の一次導体押圧部１２１とを備える。
【００３７】
挟着用金具１２の取付部１２０には、丸穴状の取付穴１２７を設けてある。ケース本体１０の左側面１０ｃ若しくは右側面１０ｄに設けられる固定用螺子１６（雌螺子）に対して、取付穴１２７を介して固定用螺子１２４（雄螺子）を螺着することで、挟着用金具１２をケース本体１０に対して取付けることができる。
【００３８】
一方で、図７に示すように、対向する側のコイル絶縁ユニット１における挟着用金具１２は、丸穴状の取付穴１２７に代えて小判孔１２５（若しくは長孔）を設けてある。固定用螺子１６（雌螺子）に対して固定用螺子１２４を僅かに緩めることで、前記小判孔１２５によって許容される範囲で、挟着用金具１２を前後方向へ移動させることができる。
【００３９】
前記一次導体押圧部１２１の上端近傍及び下端近傍となる位置において、一方の一次導体押圧部１２１には例えばネジ孔１２１ａが形成され、他方の一次導体押圧部１２１には例えば小孔部１２１ｂが形成されている。また、相互の小孔部１２１ｂ間には、例えばネジ孔１２１ｃが形成されている。
【００４０】
上記コイル絶縁ユニット１は、図２から図５に示すように、以下の手順で組み立てられる。
先ず、図２に示すように、ケース本体基部１０４を、そのコア挿通穴１５を下方とし、角筒状のコア挿入穴形成部１４を上方へ立設した状態とする。その上方から二次コイル４を、コア挿入穴形成部１４を囲繞し、且つ、二次コイル４の先端の埋金４１を端子設置部１０４ａに収納し、端子設置部１０４ａの端子用穴部１０４ｂから埋金４１の先端が露呈する配置とする。
【００４１】
この状態において、図３に示すように、ケース本体主部１０３を、前記二次コイル４を囲繞するように被せ、ケース本体主部１０３とケース本体基部１０４を、接着剤で固定する。ケース本体主部１０３には予め、左右側面に固定用螺子１６（雌螺子）を埋金として設けてある。この状態において内部空間１３が形成される。
【００４２】
次に、内部空間１３に対して、絶縁用樹脂７を流し込む。ケース本体主部１０３の上縁まで前記絶縁用樹脂７を注入した後、ケース本体蓋部１０２の鍔部当接部１０２ａと、ケース本体基部１０４の鍔部１４１とを当接させ、ケース本体蓋部１０２をケース本体主部１０３及びケース本体基部１０４に対して接着固定する。
この接着固定状態において、図５に示すように、ケース本体１０の上下を反転させる。この上下の反転によって、ケース本体１０内で、注入した絶縁用樹脂７がケース本体蓋部１０２にも接触することとなって、ケース本体１０の強度を高めることとなる。
【００４３】
そして、上記したように、ケース本体１０の左側面１０ｃ若しくは右側面１０ｄに設けられる固定用螺子１６（雌螺子）に対して、取付穴１２７を介して固定用螺子１２４（雄螺子）を螺着することで、挟着用金具１２をケース本体１０に対して取付ける（図５、図６）ことによって完成する。
【００４４】
各Ｕ字型分割コア２の脚部２０の先端面２１は、矩形輪郭を有する平面として形成されており、矩形輪郭の各辺の長さは、前記ケース本体１０のコア挿入穴１５の各辺の長さに対応したものとなっている。
【００４５】
次に、本実施例１における分割型変流器Ｔの組立及び据付方法について説明する。
本発明の分割型変流器Ｔは、設置場所において組立及び据付を行うものである。
本発明は、コイル絶縁ユニット１、Ｕ字型分割コア２を、夫々個別の完成品として管理するものであるため、設置場所におけるスペース等に応じて、各構成部品のサイズを選択し、簡単且つ最適な設置が可能となる。
【００４６】
設置場所において、図７に示すように、一次導体３に対して、コイル絶縁ユニット１を取付ける。先ず、一対となるコイル絶縁ユニット１における挟着用金具１２の一次導体押圧部１２１と一次導体３の片面とを当接させる。
【００４７】
次いで、図８に示すように、もう一方のコイル絶縁ユニット１について、同様に、該一次導体３の片面と挟着用金具１２の一次導体押圧部１２１とを当接させる。そして、一対のコイル絶縁ユニット１の相互の突出部端面１０１を当接させた状態とする。
【００４８】
そして、コイル絶縁ユニット１の小孔部１２１ｂ及びネジ孔１２１ａに対して、固定用ボルト１２２にて螺合させる。また、ネジ孔１２１ｃに対して、固定用ボルト１２２を螺合させ、固定用ナット１２３を締込むことで、一次導体３の滑落を防止する。これにより、対向する挟着用金具１２相互で一次導体３を強固に固定する（図８、図９参照。）。
【００４９】
図１０に示すように、一方のＵ字型分割コア２における二本の脚部２０を上方から、一対のコイル絶縁ユニット１の上部の各コア挿入穴１５に対して、挿入する。同様に、他方のＵ字型分割コア２における二本の脚部２０を下方から、前記一対のコイル絶縁ユニット１の底部の各コア挿入穴１５に対して、挿入する（図１０参照。）。一組のＵ字型分割コア２の各先端面２１は、コア挿入穴１５内で当接する。
【００５０】
さらに、当該Ｕ字型分割コア２を固定するために、上下のＵ字型分割コア２と交差するように、コア挿入穴１５から締縛用バンド５を巻付けて、締め付け固定する（図１１参照）。締縛用バンド５の両端部は、例えば筒状体からなる連結部５１を収納する空間を有して折り返され、バンド端部５０を形成する。連結部５１に形成されるネジ孔に固定用ボルト５２を螺合させることで締め付け固定する（図１参照）。
【００５１】
上記の構成及び手順によれば、一対のコイル絶縁ユニット１の相互の突出部端面１０１を当接させた状態としたことによって、一次導体３の厚さの増減にかかわらず、図１０に示すように、Ｕ字型分割コア２の脚部２０間の距離Ｄ３とコア挿入穴１５間の距離Ｄ２が常に一致させることができる。
このため、Ｕ字型分割コア２のコア挿入穴１５への挿入が非常に容易に行える利点を有する。
【００５２】
一方で、一対のコイル絶縁ユニット１の相互の突出部端面１０１を当接させた状態とすることは本発明において必須ではなく、例えば、図１２に示すように、突出部端面１０１相互を当接させずに、Ｕ字型分割コア２に応じた所定間隔離したものとして、挟着用金具１２にて一次導体３を固定することもできる。
【００５３】
上記のように、突出部端面１０１相互を当接させずに、Ｕ字型分割コア２に応じた所定間隔離した構成においては、分割型変流器ＴにおけるＵ字型分割コア２とコア挿入穴１５との位置合せは、小判孔１２５若しくは長孔を有する側の挟着用金具１２を前後へスライドさせる操作によって、行うことができる。即ち、当該挟着用金具１２を固定している固定用螺子１２４（雄螺子）を僅かに緩め、前記小判孔１２５若しくは長孔によって許容される範囲で挟着用金具１２を前後方向へ移動させて、一次導体３を挟持固定した状態を保持しながら、Ｕ字型分割コア２とコア挿入穴１５の位置とを調節し、前記固定用螺子１２４を締め込むことで、固定できる。
【００５４】
分割型変流器Ｔにおいて、例えば、図１３に示す二次端子１１における端子１１ｄと端子１１ｅを接続して短絡した状態で、端子１１ａと端子１１ｈを負担接続する端子として使用した場合には、直列接続とすることができる。また、二次端子１１における端子１１ａと端子１１ｅを接続して短絡し、端子１１ｄと端子１１ｈを接続して短絡した状態で、端子１１ａ又は端子１１ｅと端子１１ｄ又は端子１１ｈを負担接続する端子として使用した場合には、並列接続とすることができる。
【００５５】
例えば、二次端子１１における端子１１ａと端子１１ｂ間の巻数を５０とし、端子１１ｂと端子１１ｃ間の巻数を３０とし、端子１１ｃと端子１１ｄ間の巻数を１２０とする。端子１１ｅから端子１１ｈにおいては、対向するコイル絶縁ユニット１の端子に対応する巻数となる。この場合における接続端子と定格電流の関係について表１に示す。
【００５６】
【表１】
0005289506.tif 000002
【実施例２】
【００５７】
また、図１５に、本発明の実施例２として、一次導体３がケーブル３ｂである場合に対応可能な分割型変流器Ｔを示す。本実施例２に係る分割型変流器Ｔは、基本構成は上記実施例１の分割型変流器Ｔと共通するが、挟着用金具１２の長手中央にアダプタ取付穴１２６を備え、該アダプタ取付穴１２６に対して、ケーブル３ｂを通すためのアダプタ６を取着した点において相違する。
【００５８】
本実施例２に係るアダプタ６は、図１４に示すように、合成樹脂製弾性材料からなるブロック体であり、一端に円弧状輪郭となる切欠部６０を備えている。また、他端には、前記アダプタ取付穴１２６に対して押込む取付凸部６１を備えている。
【００５９】
アダプタ６の取付凸部６１を対向する挟着用金具１２の夫々のアダプタ取付穴１２６に取着した状態で、対向するアダプタ６の当接面６３相互を当接させることで、図１４（ｆ）及び図１５に示すように、ケーブル通過空間６２が形成される。
【００６０】
尚、アダプタ６の切欠部６０の形状は特に限定するものではなく、ケーブル３ｂを通過させるケーブル通過空間６２を形成できればよい。また、アダプタ６は、一方の挟着用金具１２にのみ取付けるものであってもよい。このため一方の挟着用金具１２と対向する挟着用金具１２との間でケーブル通過空間６２を形成するものであってもよい。
【００６１】
また、本発明の他の実施例として、図１６及び図１７に示すように、対向するコイル絶縁ユニット１の全ての挟持用金具１２に取付穴１２７を用いず、小判孔１２５とすることもできる。当該構成によれば、Ｕ字型分割コア２の幅の寸法についてより広い範囲で対応できる。
【００６２】
また、本発明における前後方向へのスライド調節を可能とするスライド調節手段は、上記各実施例に開示した小判孔１２５若しくは長孔に限るものではなく、複数の丸孔を列設してもよいし、相互の複数の係止手段が噛合するもの等でもよく、種々の公知のスライド機構を用いることができる。
【００６３】
また、本発明におけるコイル絶縁ユニット１若しくは分割型変流器Ｔにおいて用いる二次コイル４は、上記実施例１２に開示した線材４０のみからなるものに限らず、予め公知のボビンに対して捲回された構成のものであってもよいし、線材４０を絶縁用樹脂で固めたモールドコイル（ボビンを有するものでも有しないものでもよい。）を用いることもできる。また、二次コイル４には、必要に応じてコイル絶縁ユニット１内におけるがたつきを防止するための固定具等設けることができる。
【００６４】
また、本発明の構成に係る分割型変流器Ｔは常に一基のみで使用するものではなく、当該分割型変流器Ｔを複数基直列若しくは並列で配列接続させることにより、種々の定格電流に対応させることができる。
【００６５】
また、上記各実施例はいずれも一次導体３の幅方向を上下とする縦方向取付けの例として示したが、これに限定するものではなく、一次導体３の幅方向を左右方向とする横方向取付けや、一次導体３の長手方向を上下方向とする取付け等とできることはいうまでもない。
【００６６】
以上のように、本発明のコイル絶縁ユニット１及び分割型変流器Ｔによれば、既設、新設を問わず種々の一次導体３に対して、種々のサイズのＵ字型分割コア２を適用できるため、設置場所において一次導体３に応じた最適なＵ字型分割コア２を簡単に適用でき、各部品（即ち、Ｕ字型分割コア２、コイル絶縁ユニット１、コイル絶縁ユニット１の挟持用金具）のレベルで供給管理でき、非常に効率がよいものとすることができる。
【００６７】
そして、複数基直列若しくは並列で配列接続させることにより、種々の定格電流に対応させることができることにより、非常に優れた汎用性を発揮することができる。
【００６８】
また、本発明は上記各実施例について分割型変流器を用いて説明したが、本発明は上記分割型変流器に限らず、分割型変圧器を含む分割型変成器全般について適用することができる。
【符号の説明】
【００６９】
１        コイル絶縁ユニット
１０      ケース本体
１００    突出部
１０１    突出部端面
１０２    ケース本体蓋部
１０２ａ  鍔部当接部
１０２ｂ  コア挿入穴形成用貫通穴
１０３    ケース本体主部
１０４    ケース本体基部
１０ａ    対向面
１０ｂ    上面
１０ｃ    左側面
１０ｄ    右側面
１０ｅ    底面
１１      二次端子
１１ａ〜１１ｈ  端子
１２      挟着用金具
１２０    取付部
１２１    一次導体押圧部
１２１ａ  ネジ孔
１２１ｂ  小孔部
１２１ｃ  ネジ孔
１２２    固定用ボルト
１２３    固定用ナット
１２４    固定用螺子（雄螺子）
１２５    小判孔
１２６    アダプタ取付穴
１２７    取付穴
１３      内部空間
１４      コア挿入穴形成部
１４０    内部構成側壁
１４１    鍔部
１５      コア挿入穴
１６      固定用螺子（雌螺子）
２        Ｕ字型分割コア
２０      脚部
２１      先端面
３        一次導体
３ａ      ブスバー
３ｂ      ケーブル
４        二次コイル
４０      線材
４１      埋金
５        締縛用バンド
５０      バンド端部
５１      連結部
５２      固定用ボルト
６        アダプタ
６０      切欠部
６１      取付凸部
６２      ケーブル通過空間
７        絶縁用樹脂
Ｔ        分割型変流器
Ｗ        幅（一次導体の幅）
Ｄ１      距離（ガイド部間の距離）
Ｄ２      距離（コア挿入穴間の距離）
Ｄ３      距離（分割コアの脚部間の距離）
【図１】
0005289506.tif 000003
【図２】
0005289506.tif 000004
【図３】
0005289506.tif 000005
【図４】
0005289506.tif 000006
【図５】
0005289506.tif 000007
【図６】
0005289506.tif 000008
【図７】
0005289506.tif 000009
【図８】
0005289506.tif 000010
【図９】
0005289506.tif 000011
【図１０】
0005289506.tif 000012
【図１１】
0005289506.tif 000013
【図１２】
0005289506.tif 000014
【図１３】
0005289506.tif 000015
【図１４】
0005289506.tif 000016
【図１５】
0005289506.tif 000017
【図１６】
0005289506.tif 000018
【図１７】
0005289506.tif 000019